(57)【特許請求の範囲】
【請求項１】
火災受信機から導出した感知器回線毎に、複数の火災感知器を接続して構成し、上記火災感知器は、火災を検知したときには、その火災感知器が接続された感知器回線を短絡させることによって、上記火災受信機に火災信号を出力する構成の自動火災報知システムにおいて、
上記複数の火災感知器は、この火災感知器の故障などを診断する自己診断手段と、この自己診断手段によって自身の不具合が発生あるいは予想された場合には、所定周期のパルス電流をトラブル信号として上記火災受信機に出力するトラブル信号出力手段とを備えており、
上記複数の火災感知器は、各々が接続された感知器回線を通じた火災受信機からの電源供給が開始された際には、それぞれの火災感知器の不具合が発生あるいは予想されているときには、各々同期して、所定時間の間、トラブル信号を出力することを特徴とする自動火災報知システム。
【請求項２】
請求項１において、
上記火災受信機は、上記火災感知器の動作状況を試験する試験モードを実行でき、この試験モードを実行している際には、上記火災感知器からのトラブル信号の出力が終了したときには、火災感知器への電源供給を一旦中止し、その後再開する構成とした自動火災報知システム。
【請求項３】
請求項１、請求項２において、
上記火災受信機は、上記火災感知器からのトラブル信号の入力を検出するトラブル信号検出手段を備えており、このトラブル信号検出手段によってトラブル信号の入力を検出したときには、所定のトラブル通知をする構成とした自動火災報知システム。
【請求項４】
請求項１〜請求項３のいずれかにおいて、
上記火災感知器は、上記トラブル信号出力手段によるトラブル信号の出力によって点滅するトラブル表示灯を備えている構成とした自動火災報知システム。
【発明の詳細な説明】
【０００１】
【発明の属する技術分野】
本発明は、集合住宅などで広く導入されている自動火災報知システムの改良に関する。
【０００２】
【従来の技術】
近時、集合住宅などでは、自動火災報知システムが広く導入されており、防災上重要な役割を果たしている。
【０００３】
このものは、火災受信機から導出した感知器回線毎に、複数の火災感知器を接続して構成しており、火災感知器は、火災を検知したときには、その火災感知器が接続された感知器回線を短絡させることによって、火災受信機に火災信号を出力する。このとき、火災受信機では、所定の火災警報を行う。
【０００４】
ところで、近年のマイコン技術の進展によって、火災感知器内部にマイコンを内蔵させることによって、高度な火災検知を可能にしたものが開発されており、このような火災感知器では、感知器自身の故障などを診断する自己診断手段としてマイコンを用いて、故障などが発生あるいは予想される場合には、その旨を確認灯の点滅などによって通知することができる。
【０００５】
【発明が解決しようとする課題】
ところが、上記した従来の火災感知器では、先述したように、その火災感知器が接続された感知器回線を短絡させることによって、火災受信機に火災信号を出力する構成であるため、火災受信機に対して火災信号しか出力できず、自己診断手段によるトラブル診断結果を火災受信機に対して通知することができず、そのため、受信機側では、火災感知器にトラブルが発生したことを確認することができず不便であった。
【０００６】
本発明は、上記事情を考慮してなされたものであり、火災感知器における故障などの自己診断結果を、火災受信機側でも確認することのできる自動火災報知システムを提供することを目的としている。
【０００７】
【課題を解決するための手段】
上記目的を達成するため、本発明の請求項１に記載の自動火災報知システムでは、火災受信機から導出した感知器回線毎に、複数の火災感知器を接続して構成し、火災感知器は、火災を検知したときには、その火災感知器が接続された感知器回線を短絡させることによって、火災受信機に火災信号を出力する構成の自動火災報知システムにおいて、複数の火災感知器は、この火災感知器の故障などを診断する自己診断手段と、この自己診断手段によって自身の不具合が発生あるいは予想された場合には、所定周期のパルス電流をトラブル信号として火災受信機に出力するトラブル信号出力手段とを備えており、複数の火災感知器は、各々が接続された感知器回線を通じた火災受信機からの電源供給が開始された際には、それぞれの火災感知器の不具合が発生あるいは予想されているときには、各々同期して、所定時間の間、トラブル信号を出力することを特徴とする。
【０００９】
請求項２に記載の自動火災報知システムでは、火災受信機は、火災感知器の動作状況を試験する試験モードを実行でき、この試験モードを実行している際には、火災感知器からのトラブル信号の出力が終了したときには、火災感知器への電源供給を一旦中止し、その後再開する構成とした。
【００１０】
請求項３に記載の自動火災報知システムでは、火災受信機は、火災感知器からのトラブル信号の入力を検出するトラブル信号検出手段を備えており、このトラブル信号検出手段によってトラブル信号の入力を検出したときには、所定のトラブル通知をする構成とした。
【００１１】
請求項４に記載の自動火災報知システムでは、火災感知器は、トラブル信号出力手段によるトラブル信号の出力によって点滅するトラブル表示灯を備えている。
【００１２】
【発明の実施の形態】
以下に、本発明の実施の形態について、図面とともに説明する。図１は、本発明の自動火災報知システムの要部構成の一例を示す図である。
【００１３】
このシステムは、火災受信機２から導出した感知器回線Ｌに、火災感知器１を接続して構成しており、火災感知器１は、自己診断手段を構成するマイコン１０と、トラブル信号出力手段を構成し、トラブル信号Ｓ１を出力するトラブル信号出力回路１１と、火災信号Ｓ２を出力する火災信号出力回路１２と、表示灯１３とを備える。また、一方の火災受信機２は、トラブル信号検出手段を構成し、火災感知器１からのトラブル信号Ｓ１を検出するトラブル信号検出回路２０を備える。
【００１４】
なお、図では、火災感知器１と火災受信機２とは１：１で接続しているが、本来の実施の形態においては、火災受信機１から導出した複数の感知器回線Ｌ毎に、複数の火災感知器１を接続した構成としている。
【００１５】
マイコン１０は、一定周期（例えば１秒周期）で検出する煙濃度や周囲温度の計測値が一定レベルを超えたことにより、火災の発生を感知したときには、火災信号出力回路１２によって火災信号Ｓ２を出力する一方、この火災感知器１の故障などの状態を診断し、不具合が発生あるいは予想されるときには、トラブル信号出力回路１１によってトラブル信号Ｓ１を出力する。
【００１６】
図示するように、火災感知器１は火災受信機２に対して２線で接続されており、通常、火災感知器１に流れる電流は微少であるが、マイコン１０が火災発生を検知すると火災信号出力回路１２によってトランジスタＴＲをオン状態として、感知器回線Ｌを短絡させることによって大きな電流を火災信号Ｓ２として出力し、これを火災受信機２が検出すると所定の火災警報を行う。
【００１７】
一方、マイコン１０が、火災感知器１自身の不具合が発生あるいは予想したときには、トラブル信号出力回路１１によって、周期Ｔのパルス電流をトラブル信号Ｓ１を出力し、これを火災受信機２が検出すると、所定のトラブル通知、例えば、トラブル信号Ｓ１を出力した火災感知器１の接続されている感知器回線Ｌを通知する。なお、トラブル信号Ｓ１の周期Ｔは、火災受信機２が火災信号Ｓ２の入力と判断しない程度、例えば、３秒周期としている。
【００１８】
表示灯１３は、火災信号出力回路１２から火災信号Ｓ２が出力されると、一定の電流が流れるため、火災検知表示灯として機能して点灯する一方、トラブル信号出力回路１２からトラブル信号Ｓ１が出力されると、周期Ｔ、ここでは３秒周期のパルス電流が流れるため、トラブル表示灯として機能して３秒周期で点滅する。これにより、表示灯１３の点灯と点滅との違いにより、火災感知器１が火災検知したかトラブル通知したかを判別できるとともに、トラブル通知したときには表示灯１３が点滅することによって、トラブル発生あるいは予想された火災感知器１を特定することができる。
【００１９】
ここで、火災感知器１は、火災受信機２からの電源供給を受けて動作しているが、電源供給が開始された際に、マイコン１０によって自身の不具合が発生あるいは予想されているときには、図２に示すように、所定時間、例えば、１０秒の間、トラブル信号Ｓ１を出力する構成としてもよい。
【００２０】
このようにすれば、複数の火災感知器１からのトラブル信号Ｓ１が、所定時間の間、感知器回線Ｌに同期して出力され、トラブル信号Ｓ１のパルス電流は同時に流れるため、複数の火災感知器１からのトラブル信号Ｓ１がパルスとならずに火災信号Ｓ２のように一定の電流になってしまうということがなく、従って、火災受信機２がトラブル信号Ｓ１を火災信号Ｓ２と誤判断することが防止できる。
【００２１】
また、火災受信機２は、火災感知器１の動作状況を試験する試験モードを実行できる。火災受信機２は、この試験モードを実行している際には、火災感知器１からのトラブル信号の出力が終了したときには、火災感知器への電源供給を一旦中止し、その後再開する構成としている。
【００２２】
例えば、火災感知器１から、図２に示すようなトラブル信号Ｓ１が出力され、所定時間後にその出力が終了すると、火災受信機２は、復旧処理をして感知器１への電源供給を一旦停止した後、電源供給を再開する。そして、電源供給を再開された火災感知器１が、トラブル信号Ｓ１の出力を再開する。以降は、火災受信機２が試験モードである限り、火災感知器１はトラブル信号Ｓ１の出力、停止を繰り返す（以上、図３参照）。
【００２３】
これにより、トラブル状態の火災感知器１は、連続してトラブル信号を出力するため、火災感知器１のトラブル表示灯１３の点滅が連続し、これにより、該当する火災感知器１の目視による発見を容易にすることができる。
【００２４】
【発明の効果】
以上の説明からも理解できるように、本発明の請求項１に記載の自動火災報知システムでは、火災感知器は、自己診断手段によって自身の不具合が発生あるいは予想された場合には、トラブル信号出力手段によって、所定時間周期のパルス電流をトラブル信号として火災受信機に出力するので、火災受信機にてこのトラブル信号入力に基づく処理をすれば、火災感知器における故障などの自己診断結果を、火災受信機側でも確認することができる。
また、複数の火災感知器は、各々が接続された感知器回線を通じた火災受信機からの電源供給が開始された際には、それぞれの火災感知器の不具合が発生あるいは予想されているときには、各々同期して、所定時間の間、トラブル信号を出力するので、複数の火災感知器からのトラブル信号が、所定時間の間、感知器回線に同期して出力され、トラブル信号のパルス電流は同時に流れるため、複数の火災感知器からのトラブル信号がパルスとならずに火災信号のように一定の電流になってしまうということがなく、従って、火災受信機がトラブル信号を火災信号と誤判断することが防止できる。
【００２６】
請求項２に記載の自動火災報知システムでは、火災受信機は、火災感知器の動作状況を試験する試験モードを実行でき、この試験モードを実行している際には、火災感知器からのトラブル信号の出力が終了したときには、火災感知器への電源供給を一旦中止し、その後再開するので、トラブル状態の火災感知器は、連続してトラブル信号を出力するため、火災感知器のトラブル表示灯の点滅が連続し、これにより、該当する火災感知器の目視による発見を容易にすることができる。
【００２７】
請求項３に記載の自動火災報知システムでは、火災受信機は、トラブル信号検出手段によってトラブル信号の入力を検出したときには、所定のトラブル通知をするので、どの火災感知器がトラブル発生したかを火災受信機側で容易に確認することができる。
【００２８】
請求項４に記載の自動火災報知システムでは、火災感知器は、トラブル信号出力手段によるトラブル信号の出力によって点滅するトラブル表示灯を備えているので、トラブル表示灯の点滅によって、トラブル発生あるいは予想された火災感知器を容易に特定することができる。
【図面の簡単な説明】
【図１】本発明の自動火災報知システムの要部構成の一例を示す図である。
【図２】トラブル信号の出力態様の一例を示す図である。
【図３】トラブル信号の出力態様の他例を示す図である。
【符号の説明】
１・・・火災感知器
２・・・火災受信機
１０・・・マイコン
１１・・・トラブル信号出力回路
１３・・・表示灯
Ｌ・・・感知器回線
Ｓ１・・・トラブル信号
Ｓ２・・・火災信号
【図１】
0003722008.tif 000002
【図２】
0003722008.tif 000003
【図３】
0003722008.tif 000004